(57)【要約】  矩形ステージには、フレームと取外し可能な脚部により支持されるデッキが含まれる。脚部は、各コーナーで前記ステージデッキの下のコーナー収容アセンブリ内に挿入されている。脚部収容用アセンブリは、円筒形のソケットを含み、このソケット内に脚部の頂部が挿入される。脚部収容用アセンブリはさらに、保持用リンケージも含んでおり、このリンケージは、ソケットの側面内のスロットを通って延在し、脚部と係合する。保持用リンケージはさらに、カムを脚部と係合した状態に維持するためにカムに結合された手動で起動させることのできるラッチも含んでいる。
2019512054.tif 000002
【特許請求の範囲】
【請求項１】
−  ステージデッキと；
−  取外し可能な脚部と；
−  脚部を収容し、
・  前記脚部の頂部部分を収容するように構成された収容用チャンバを形成し、前記収容用チャンバまで収容用要素を通って延在する開口部を画定する、前記収容用要素、
・  カム要素が前記開口部を通って延在する脚部係合位置と、係合解除位置との間で移動するように構成されている、前記カム要素、
を含む、脚部組付け用アセンブリと；
を含む、可搬式ステージ。
【請求項２】
前記カム要素と係合し、前記カム要素を前記脚部係合位置に保持するラッチをさらに含む、請求項１に記載の可搬式ステージ。
【請求項３】
前記カム要素を前記脚部係合位置で自動的に係止するように前記カム要素と係合可能であるバネをさらに含む、請求項２に記載の可搬式ステージ。
【請求項４】
前記ラッチと係合する前記収容用要素内に形成されたノッチをさらに含む、請求項２または３に記載の可搬式ステージ。
【請求項５】
前記収容用要素を前記フレームに組付けるための組付け用部分をさらに含む、請求項１ないし４のいずれか１項に記載の可搬式ステージ。
【請求項６】
前記収容用チャンバが円筒形チャンバを含み、前記脚部の前記上部部分が円形の横断面を有する、請求項１ないし５のいずれか１項に記載の可搬式ステージ。
【請求項７】
前記収容用チャンバが前記チャンバの高さ全体に沿って一定の内部横断面を有する、請求項１ないし６のいずれか１項に記載の可搬式ステージ。
【請求項８】
前記収容用チャンバ内に収容される前記脚部の前記頂部部分が一定の外部横断面を有する、請求項１ないし７のいずれか１項に記載の可搬式ステージ。
【請求項９】
脚部の頂部部分を収容するように構成された収容用チャンバを形成し、前記収容用チャンバまで収容用要素を通って延在する開口部を画定する、前記収容用要素と、
カム要素が前記開口部を通って延在する脚部係合位置と、係合解除位置との間で移動するように構成されている、前記カム要素と、
を含む、脚部組付け用アセンブリ。
【請求項１０】
前記カム要素と係合し前記カム要素を前記脚部係合位置に保持するラッチをさらに含む、請求項９に記載の脚部組付け用アセンブリ。
【請求項１１】
前記カム要素を前記脚部係合位置で自動的に係止するように前記カム要素と係合可能であるバネをさらに含む、請求項１０に記載の脚部組付け用アセンブリ。
【請求項１２】
前記ラッチと係合する前記収容用要素内に形成されたノッチをさらに含む、請求項１０または１１に記載の脚部組付け用アセンブリ。
【請求項１３】
前記収容用チャンバが円筒形チャンバを含み、前記脚部の前記上部部分が円形の周囲面を有する、請求項９ないし１２のいずれか１項に記載の脚部組付け用アセンブリ。
【請求項１４】
前記収容用チャンバが該チャンバの高さ全体に沿って一定の内部横断面を有し、前記収容用チャンバ内に収容される前記脚部の前記頂部部分が一定の外部横断面を有する、請求項９ないし１３のいずれか１項に記載の脚部組付け用アセンブリ。
【請求項１５】
可搬式ステージの取外し可能な脚部を保持する方法において、
該ステージが、ステージデッキと、脚部を収容する脚部組付け用アセンブリとを有し、
前記脚部組付け用アセンブリは、
前記脚部の頂部部分を収容するように構成された脚部収容用チャンバを形成し、該収容用チャンバまで収容用要素を通って延在する開口部を画定する、前記収容用要素と、
前記収容用要素内の前記開口部を通る脚部係合位置と、係合解除位置との間で移動するように構成されている、カム要素とを有し、
前記カム要素は、前記脚部組付け用アセンブリと選択的に係合するために構成されたラッチに結合されている、方法であって、
−  前記脚部を前記脚部収容用チャンバ内に挿入するステップと；
−  前記カム要素を前記開口部を通って前記脚部と係合状態になるように移動させるステップと；
−  前記カム部材を圧力下で引っ張る前記脚部組付け用アセンブリに前記ラッチを掛止めするステップと；
を含む方法。
【発明の詳細な説明】
【技術分野】
【０００１】
本出願は、２０１７年２月１６日にＰＣＴ国際特許出願として出願されており、参照により本明細書にその開示全体が組込まれた２０１６年２月１７日出願の米国仮特許出願第６２／２９６，４６９号に対する優先権を主張する。
【０００２】
本発明は、ステージシステム、詳細には、各々の矩形のステージ区分のコーナーに改良された迅速着脱式の脚部取付けを有するモジュール式ステージシステムに向けられている。
【背景技術】
【０００３】
仮設高架ステージ表面を創出するために可搬式ステージが使用される。概して、拡張された表面を形成するために、矩形のステージを縁部同士の関係で接合することができる。一部のステージは、高さ調整を提供する調整可能な脚部を有することができ、これにより延在するステージ表面を創出するためにステージを組合せ、異なる高さのステージと組合せて異なる高さで高架表面を形成しかつ／または蹴上げ板タイプの構成を創出することができる。ステージは可搬式であり得、いくつかのステージは、保管のための折畳み脚部または取外し可能な脚部を有することができる。
【０００４】
常設脚部は、保管時のステージの専有面積を増大させ、したがってこのようなステージは、大型ステージシステムに必要とされる保管スペースを大幅に増大させる。しかしながら、取外し可能な脚部および／または折畳み式脚部は取外せないように組付けられる脚部に比べて、安定性および／または収容力が低くなる場合があるということが認識され得る。多くのステージが遭遇するより大きな荷重のための充分な支持を提供するために、脚部を迅速着脱式構成で組付けることは不可能である。その上、脚部の着脱作業は、多くの労力と時間を要するものであり得、誤設置および紛失の可能性のある工具や組付け用金物類を必要とするかもしれない。ステージと脚部を適切に整列させるために、特殊な構造が求められる可能性があり、製造および重量そして可搬式ステージの据え付けおよび解体のために必要な時間が増大するかもしれない。
【発明の概要】
【発明が解決しようとする課題】
【０００５】
したがって、新しい改良型の仮設ステージシステムが必要とされていることが分かる。このようなステージシステムは、未使用時にステージを分解できるように、各脚部の迅速な連結および連結解除を提供しなければならない。その上、このような脚部支持体は、製造が容易で、大きな荷重でさえ安全に支持するため頑丈で安定した形で従来の直線脚部をしっかりと組付けできなければならない。このような組付けシステムは、取外し可能な組付け用金物類を回避し、内蔵型でなければならない。本発明は、仮設可搬式ステージおよび組付け用取外し可能脚部に関連するこれらのならびに他の問題に対処する。
【課題を解決するための手段】
【０００６】
本発明は、各コーナーに容易に取外し可能な脚部を伴うフレーム上に支持されたステージデッキを有し、縁部同士の関係で連結されて高架拡張ステージ表面を形成し得る仮設可搬式ステージに向けられている。
【０００７】
脚部収容用アセンブリは、対応する取外し可能な脚部の頂端部と係合するための収容用ソケットを含む。ソケットに収まる脚部の部分は、典型的に円筒形の一定の横断面を有し、テーパは付いておらず、ステージデッキの収容用アセンブリと係合するために特殊な構造を全く必要としない。
【０００８】
脚部収容用アセンブリは、脚部が係合され保持される係合位置と、脚部が解放される係合解除位置との間で移動可能であるカムタイプの係合要素を含む。カム部材は、垂直軸を中心にして枢動し、ソケット壁の側面内に形成された水平方向スロット内を移動する。脚部収容用アセンブリは同様に、カム部材に結合された掛止め用要素も含んでいる。掛止め用要素は、カム部材との関係において枢動しソケットの外部壁内に形成された相補的ノッチと係合するように構成されている。カム−掛止め用要素リンケージ内のトグル点を通過した後、掛止め用要素はソケットの外部壁上のキャッチ内に嵌合し、脚部と係合した状態でカムを維持する。カムは、ラッチ要素のレバー部分をカムに向かって手動で移動させ、こうしてキャッチをソケットの壁から離れるように枢動させることによって係合解除される。脚部収容用アセンブリは、ステージデッキの下側で、偶発的に緩められることのない場所でフレームから内側に向かって存在し、それでもなお容易にアクセス可能であり、レバータイプの掛止め用要素を起動させることによって、手動式に係合または係合解除される。
【０００９】
これらの新規な特徴および本発明を特徴付けるさまざまな他の利点は、本明細書に添付されその一部を成す請求項中に特徴点と共に指摘されている。しかしながら、本発明、その利点、本発明を使用することによって得られる目的をより良く理解するためには、そのさらなる部分を形成する図面ならびに、本発明の好ましい実施形態を例示し説明する添付の説明的事項を参照すべきである。
【００１０】
ここで、図面を参照するが、これらの図面においては、複数の図全体を通して同様の参照用文字および番号が対応する構造を標示している。
【図面の簡単な説明】
【００１１】
【図１】本発明の原理にしたがった可搬式ステージの斜視図である。
【図２】図１に示された可搬式ステージの底面斜視図である。
【図３】図２に示されている可搬式ステージのコーナーの底面斜視詳細図である。
【図４】可搬式ステージのコーナー、脚部組付け用アセンブリおよび脚部の頂部の部分分解組立図である。
【図５】明確さのためにデッキ無しで示された、図４に示された脚部組付け用アセンブリの部分分解上面斜視図である。
【図６】掛止め位置における、図４に示された脚部組付け用アセンブリおよび脚部の上面平面図である。
【図７】解除位置における、図４に示された脚部組付け用アセンブリおよび脚部の上面図である。
【図８】脚部組付け用アセンブリのソケットのスロットおよび保持用アセンブリのリンケージを通って延在する水平平面に沿って切り取った、ラッチが係合された状態にある図６に示された脚部組付け用アセンブリの断面図である。
【図９】脚部組付け用アセンブリのソケットのスロットおよび保持用アセンブリのリンケージを通って延在する水平平面に沿って切り取った、ラッチが係合解除された状態にある図７に示された脚部組付け用アセンブリの断面図である。
【図１０】脚部保持用アセンブリ用のカム部材の上面図である。
【図１１】図１０中に示されたカム部材の側面立面図である。
【図１２】脚部保持用アセンブリ用のラッチ部材の上面図である。
【図１３】図１２中に示されたラッチ部材の端面図である。
【図１４】図１２中に示されたラッチ部材の斜視図である。
【図１５】図６中に示された脚部組付け用アセンブリ用のリテーナアセンブリリンケージのラッチの斜視図である。
【図１６】図１５中に示されたリテーナアセンブリおよび脚部組付け用アセンブリの上面図である。
【図１７】拡張されたステージを形成するために接合された多数のステージの斜視図である。
【発明を実施するための形態】
【００１２】
ここで、図面、特に図１および図２を参照すると、全体的に（２０）で表わされた可搬式ステージが示されている。このような可搬式ステージ（２０）は周知であり、ステージデッキ（２２）を含む。図示されたデッキ（２２）は、従来の矩形形状で、典型的には４×８フィートなどの標準的サイズのものであるが、形状およびサイズは変動し得る。デッキ（２２）は、デッキ（２２）にその下側でフレーム（２６）と脚部（３０）によって支持されている。脚部（３０）は、保管および輸送を容易にするために、取外し可能である。フレーム（２６）は、アルミニウムなどの強く軽量の材料でできていてよく、製造を容易にするために押出し加工されてよい。その上、ステージ（２０）を他の同様のステージとモジュール式の縁部同士の関係で設置して、図１７に示されているような拡張された高架ステージ表面を形成することができる。
【００１３】
脚部（３０）は、輸送および保管のために取外し可能であり、こうして、ステージデッキ（２２）を合わせて積重ねることができるため、保管のために必要とされるスペースは削減される。各々の脚部（３０）は、上部部材（３２）および上部部材（３２）との関係において入れ子式になった下部部材（３４）を含む。しかしながら、特に高さが低く調整を必要としないステージについては、脚部がモノブロック構造を有することができるということも認識できる。バネ仕掛けの調整戻り止めが、上部部材（３２）と下部部材（３４）の間の相対的位置を設定する対応する高さ調整孔（３６）の中に挿入され、したがって、脚部（３０）の長さおよびステージ（２０）の高さも同様に調整する。図示された実施形態においては、４つの離隔した調整孔（３６）が存在するが、ステージ（２０）の利用分野および要件に応じて、それより少ないまたは多い数の孔（３６）を使用してよい。以下で説明するように、上部部材（３２）は、多くの場合円筒形である一定の横断面を有する直線の側面を含み、脚部組付け用アセンブリ（３８）に対する組付けを目的とした整列要素、テーパ付けまたは他の特殊な構成または特殊な金物類を必要としない。脚部は同様に、脚部内部のガイドおよび相補的孔など、上部部材（３２）と下部部材（３４）の間の適切な整列を保証するための整列構造も含んでいる。
【００１４】
図３〜５に示されているように、ステージ（２０）は、デッキ（２２）の下の矩形ステージの４つのコーナーの各々で、または非矩形ステージの場合はコーナーまたはその近くで組付けを行なう脚部組付け用アセンブリを含む。しかしながら、より大型のステージでは４本超の脚部を必要とし得ることも予測される。このような利用分野については、組付け用アセンブリ（３８）を、わずかな修正を加えてステージの側面に沿って、またはステージの中央に組付けることができると思われる。各々の組付け用アセンブリ（３８）は、円筒形の収容用部分またはソケット（４２）内に対応する脚部（３０）を収容する。各々の組付け用アセンブリは、フレーム（２６）に当接する側面取付け用プレート（５０）およびデッキ（２２）の上側に当接するデッキ取付け用プレート（４８）を含む。組付け用アセンブリ（３８）は、組付け用ボルト（５２）を用いてフレーム（２６）の端部に取付けられる。一部の実施形態において、フレーム（２６）およびデッキ組付け用プレート（４８）は、上向きに延在しデッキ（２２）の下側に形成された対応する整列キャビティ内に挿入されるデッキ整列部材（６０）を含むことができる。脚部収容用ソケット（４２）は円筒形で、直線の側面を伴う円筒形脚部収容用チャンバを画定し、脚部の直線頂部部分（３２）を収容するように構成されている。ソケット（４２）の頂部は、ソケット（４２）に対する追加の構造的無欠性を提供するために、図６および７に示された半径方向に延在するリブ（５８）を含んでいてよい。
【００１５】
組付け用アセンブリ（３８）は同様に、脚部（３０）に対してカム作用を及ぼし保持された配設に脚部（３０）を掛止めするための保持用アセンブリ（４０）も含んでいる。保持用アセンブリ（４０）は、ソケット（４２）の側面内に形成されたヒンジ（４４）、およびソケット（４２）の側面を通って形成されたスロット（５４）を含み、こうして、カム部材（７０）がスロット（５４）を通って延在し脚部（３０）と係合できるようにしている。カム部材（７０）は、ピン（４６）でヒンジ（４４）に対して枢動的に組付けられ、脚部（３０）を係合または係合解除するためスロットの内外に垂直方向回転軸（６２）を中心にして回転可能である。ラッチ（８０）がピン（８８）により第２の回転軸（９０）を中心にしてカム（７０）に結合されており、図３、６および８に示されているように、ソケット（４２）の外部壁内に形成された垂直方向に延在するノッチ（５６）と係合し、カム部材（７０）を係合位置に保持するように位置付けされ、これにより、対応する脚部（３０）をしっかりと固定し保持することができる。
【００１６】
ここで図１０および１１を参照すると、カム部材（７０）は、容易に把持できる長い取っ手部分（７６）を伴う細長い部材であり、手動式起動のための力学的利点を提供する。取っ手部分（７６）は、ラッチ（８０）の相対的回転に関連するより優れた整列を提供するためのわずかなくぼみ（７８）を含む。カム部材（７０）は、カム（７０）が係合位置から過度に遠くへ回転するのを防止するためのストッパとして作用するカム作用表面（７２）近くのタブ（７４）を含む。
【００１７】
図１２〜１４に示されているように、ラッチ（８０）は、離隔した平行なヒンジ部分（８６）を含む。ヒンジ部分（８６）は、カム部材（７０）の相対する面の上方および下方に延在し、図３に示されているようなピボットピン（８８）を収容するように構成されている。ラッチ部材（８０）は同様に、容易な手動式起動を可能にし、カム（７０）およびラッチ（８０）が合わせられた時点でカム部材（７０）のくぼみ（７８）内に突出するように整列させられているタブ部分（８４）も含んでいる。ラッチ要素（８０）は、図３に示されているようなソケット（４２）のノッチ（５６）に対し相補的でかつこのノッチと係合するように構成されているフックタイプの保持用部分（８２）を画定する。図１５および１６を参照すると、バネ（９１）は、ピン（８８）により捕捉され、ラッチ（８０）およびカム部材（７０）に担持されてラッチ（８０）をカム部材（７０）から離れるように付勢し、こうしてフックタイプの保持用部分（８２）はソケット（４２）の外部壁内のノッチ（５６）と自動的に係合するようになっている。
【００１８】
いかなる工具も必要とせずに、使用のためにステージ（２０）を容易に組立て、保管のために分解することができる。脚部（３０）を取付ける前に、各々の脚部（３０）は、ステージ（２０）用として所望の高さを達成するために上部部分（３２）に対する下部部分（３４）の相対的位置をセットすることにより、所要長さに調整される。脚部（３０）の頂部はこのとき、単純に、図７および９に示されているような対応する脚部（３０）の挿入の前および最中に、係合解除位置において、保持用アセンブリ（４０）を用いて対応するソケット（４２）内に挿入される。ひとたび脚部（３０）がソケット（４２）内に完全に挿入されたならば、保持用アセンブリ（４０）のリンケージは、カム部材（７０）をピン（４６）および垂直軸（６２）を中心にして回転させることにより、カム部材（７０）のカム表面（７２）がスロット（５４）を通ってソケット（４２）内に延在するように移動させられる。ラッチ部材（８０）のフックタイプのキャッチ（８２）は、少なくとも一部にはバネ（９１）の付勢に起因して自動的にソケット（４２）の外部壁内のノッチ（５６）内に延在しこのノッチと係合する。カム（７０）および脚部（３０）とバネ（９１）の間の係合の圧力は、リテーナアセンブリ（４０）のリンケージを係合位置に維持し、ノッチ（５６）と係合するキャッチ（８２）は、リテーナアセンブリ（４０）のさらなる回転を防止する。ステージ（２０）が使用中であるとき、リテーナアセンブリ（４０）の全ての構成要素は、組付け用アセンブリ（３８）に対して邪魔にならない場所にあるということが認識できる。デッキ（２２）およびフレーム（２６）は、リテーナアセンブリ（４０）を損傷および／または偶発的な移動から保護する。
【００１９】
脚部（３０）は同様に、いかなる工具も使用せずまたは大きな力を必要とせずに、デッキ（２２）から取外される。リテーナアセンブリ（４０）は、対応する脚部（３０）を解放するために係合解除されなければならない。図３、６および８に示された係合位置から出発して、カム部材（７０）の細長い部分（７６）を把持し、ラッチ部材（８０）のタブ（８４）上の圧力がタブ（８４）をカム部材（７０）の細長い部分（７６）に向かって回転させ、こうしてフックタイプのキャッチ（８２）はノッチ（５６）から係合解除される。脚部（３０）とカム表面（７２）の間の力は、リテーナアセンブリ（４０）を脚部（３０）から離れるように回転させ脚部（３０）を係合解除し、その間にキャッチ（８２）はノッチ（５６）から外に移動させられる。リテーナアセンブリ（４０）は、図７および９に示されているように、カム（７０）がソケット（４２）の内部から完全に外に出るように移動させられてよい。このとき、脚部（３０）は自由になり、ソケット（４２）の外へ軸方向に摺動し得る。リテーナアセンブリ（４０）のいずれの要素もフレーム（２６）の最も外側の点を超えて延在せず、そのため、リテーナアセンブリ（４０）が損傷を受けることなく、ステージ（２０）を互いに積重ねることができるようになっている。
【００２０】
本発明のステージ（２０）は、脚部（３０）が容易に連結され連結解除されることから、容易な手作業での据え付けおよび分解を提供するものであることが認識できる。ステージシステムは同様に、脚部（３０）を組付けまたは取外しするための何らかの工具または他の何らかの構造を使用することのない据え付けおよび解体をも提供する。
【００２１】
しかしながら以上の説明中で本発明の多くの特徴および利点が本発明の構造および機能の詳細と共に明記されてきたものの、開示は単に例示的なものにすぎず、添付のクレームが表現されている用語の広義の一般的意味によって指示される限りの規模で、本発明の原則の範囲内で、特に部品の形状、サイズ、および配設に関して、細部において変更を加えることができる、ということを理解すべきである。
【図１】
2019512054.tif 000003
【図２】
2019512054.tif 000004
【図３】
2019512054.tif 000005
【図４】
2019512054.tif 000006
【図５】
2019512054.tif 000007
【図６】
2019512054.tif 000008
【図７】
2019512054.tif 000009
【図８】
2019512054.tif 000010
【図９】
2019512054.tif 000011
【図１０】
2019512054.tif 000012
【図１１】
2019512054.tif 000013
【図１２】
2019512054.tif 000014
【図１３】
2019512054.tif 000015
【図１４】
2019512054.tif 000016
【図１５】
2019512054.tif 000017
【図１６】
2019512054.tif 000018
【図１７】
2019512054.tif 000019
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
−  ステージデッキと；
−  一定の外部横断面を伴う頂部部分を有する、取外し可能な脚部と；
を含む可搬式ステージにおいて、
脚部の頂部部分を収容し、
・  前記脚部の頂部部分を収容するように構成された一定の内部横断面を有する収容用チャンバを形成し、前記収容用チャンバまで収容用要素を通って延在する開口部を画定する、前記収容用要素と、
・  カム要素が前記開口部を通って延在し前記脚部を直接係合する脚部係合位置と係合解除位置との間で移動するように構成されている、前記カム要素と、
を含む、脚部組付け用アセンブリを特徴とする可搬式ステージ。
【請求項２】
前記カム要素と係合し前記カム要素を前記脚部に対して保持するラッチをさらに含む、請求項１に記載の可搬式ステージ。
【請求項３】
前記カム要素を前記脚部に対して自動的に係止するように前記カム要素と係合可能であるバネをさらに含む、請求項２に記載の可搬式ステージ。
【請求項４】
前記ラッチと係合する前記収容用要素内に形成されたノッチをさらに含む、請求項２または３に記載の可搬式ステージ。
【請求項５】
前記収容用要素を前記フレームに組付けるための組付け用部分をさらに含む、請求項１ないし４のいずれか１項に記載の可搬式ステージ。
【請求項６】
前記収容用チャンバが円筒形チャンバを含み、前記脚部の前記上部部分が円筒形である、請求項１ないし５のいずれか１項に記載の可搬式ステージ。
【請求項７】
−  脚部の頂部部分を収容するように構成された一定の内部横断面を有する収容用チャンバを形成し、前記脚部の前記頂部部分が一定の外部横断面を有する収容用要素であって、前記収容用チャンバまで該収容用要素を通って延在する開口部を画定する、前記収容用要素と；
−  カム要素が前記開口部を通って延在し前記脚部の前記頂部部分と直接係合する脚部係合位置と、係合解除位置との間で移動するように構成されている、前記カム要素と；
を含む、脚部組付け用アセンブリ。
【請求項８】
前記カム要素と係合し前記カム要素を前記脚部係合位置に保持するラッチをさらに含む、請求項７に記載の脚部組付け用アセンブリ。
【請求項９】
前記カム要素を前記脚部係合位置で自動的に係止するように前記カム要素と係合可能であるバネをさらに含む、請求項８に記載の脚部組付け用アセンブリ。
【請求項１０】
前記ラッチと係合する前記収容用要素内に形成されたノッチをさらに含む、請求項８または９に記載の脚部組付け用アセンブリ。
【請求項１１】
前記収容用チャンバが円筒形チャンバを含み、前記脚部の前記上部部分が円形の周囲面を有する、請求項７ないし１０のいずれか１項に記載の脚部組付け用アセンブリ。
【請求項１２】
前記収容用チャンバが該チャンバの高さ全体に沿って一定の内部横断面を有し、前記収容用チャンバ内に収容される前記脚部の前記頂部部分が一定の外部横断面を有する、請求項７ないし１１のいずれか１項に記載の脚部組付け用アセンブリ。
【請求項１３】
可搬式ステージの取外し可能な脚部を保持する方法において、
該ステージが、ステージデッキと、脚部を収容する脚部組付け用アセンブリとを有し、
前記脚部組付け用アセンブリは、
前記脚部の頂部部分を収容するように構成された脚部収容用チャンバを形成し、該収容用チャンバまで収容用要素を通って延在する開口部を画定する、前記収容用要素と、
前記収容用要素内の前記開口部を通って延在し前記脚部の前記頂部部分を係合する脚部係合位置と、係合解除位置との間で移動するように構成されている、カム要素とを有し、
前記カム要素は、前記脚部組付け用アセンブリを選択的に係合するために構成されたラッチに結合されている、方法であって、
−  前記脚部を前記脚部収容用チャンバ内に挿入するステップと；
−  前記カム要素を前記開口部を通って前記脚部と直接係合状態になるように移動させるステップと；
−  前記カム部材を圧力下で引っ張る前記脚部組付け用アセンブリに前記ラッチを掛止めするステップと；
を含む方法。
【国際調査報告】
2019512054.tif 000020
2019512054.tif 000021